(57)【特許請求の範囲】
【請求項１】
全光型の光ノードで構成された全光ネットワークにおける波長パス設定方法において、
各光ノードが、隣接光ノードとの間の各伝送路のOSNRをモニタし、該OSNRを元にOSNR指標値を算出して管理するとともに、他光ノードにおいて算出されたOSNR指標値を取得して管理し、
始点の光ノードが、波長パス設定要求を受けたとき、自光ノードが管理するOSNR指標値を用いて、自光ノードから終点の光ノードまでのルートごとのトータルのOSNR指標値を算出し、これにより算出されたトータルのOSNR指標値が所定伝送路品質以上を示すルートが存在する場合、その中から最適ルートを選択し、これにより選択された最適ルートを元にシグナリングメッセージを隣接光ノードに送出して終点の光ノードまでの波長パスが設定されるようにし、算出されたトータルのOSNR指標値が所定伝送路品質以上を示すルートが存在しない場合には、波長パスを設定しないことを特徴とする全光ネットワークにおける波長パス設定方法。
【請求項２】
OSNR指標値は伝送路のOSNRに反比例する値を持ち、始点の光ノードから終点の光ノードまでのルートを構成する各伝送路に対するOSNR指標値を加算してルートごとのトータルのOSNR指標値を算出することを特徴とする請求項１に記載の全光ネットワークにおける波長パス設定方法。
【請求項３】
トータルのOSNR指標値に、さらに(ホップ数×光ノード通過によるOSNR劣化分)を加算してルートごとのトータルのOSNR指標値を算出することを特徴とする請求項２に記載の全光ネットワークにおける波長パス設定方法。
【請求項４】
波長パス設定の要求帯域ごとの最大OSNR指標値を管理し、ルートごとのトータルのOSNR指標値と波長パス設定の要求帯域に応じた最大OSNR指標値を比較し、最大OSNR指標値以下のOSNR指標値のルートの中から最適ルートを選択することを特徴とする請求項２または３に記載の全光ネットワークにおける波長パス設定方法。
【請求項５】
全光型の光ノードで構成された全光ネットワークにおける波長パス設定装置において、
各光ノードは、
隣接光ノードとの間の各伝送路のOSNRをモニタする伝送路品質モニタ機能部と、
前記伝送路品質モニタ機能部によりモニタされたOSNRを元にOSNR指標値を算出して管理するとともに、他光ノードにおいて算出されたOSNR指標値を取得して管理するリンク品質管理機能部と、
波長パス設定要求情報を受けたとき、自光ノードから終点の光ノードまでのルートを構成する各伝送路に対するOSNR指標値を用いてルートごとのトータルのOSNR指標値を算出し、該トータルのOSNR指標値が所定伝送路品質以上を示すルートが存在する場合、該トータルのOSNR指標値を元にその中から最適ルートを決定し、算出されたトータルのOSNR指標値が所定伝送路品質以上を示すルートが存在しない場合には、最適ルートを決定しないルート計算機能部と、
パス設定要求情報を前記ルート計算機能部に送出するとともに、シグナリングメッセージを隣接光ノードに送出し、前記ルート計算機能部で決定された最適ルートに波長パスを自律的に設定し、前記ルート計算機能部で最適ルートが決定されない場合には波長パスを設定しないシグナリング機能部を備えたことを特徴とする全光ネットワークにおける波長パス設定装置。
【請求項６】
OSNR指標値は伝送路のOSNRに反比例する値を持ち、前記ルート計算機能部は、自光ノードから終点の光ノードまでのルートを構成する各伝送路に対するOSNR指標値を加算してルートごとのトータルのOSNR指標値を算出することを特徴とする請求項５に記載の全光ネットワークにおける波長パス設定装置。
【請求項７】
前記ルート計算機能部は、さらに(ホップ数×光ノード通過によるOSNR劣化分)を加算してルートごとのトータルのOSNR指標値を算出することを特徴とする請求項６に記載の全光ネットワークにおける波長パス設定装置。
【請求項８】
波長パス設定の要求帯域ごとの最大OSNR指標値を管理するパス品質管理機能部を備え、
前記ルート計算機能部は、ルートごとのトータルのOSNR指標値と波長パス設定の要求帯域に応じた最大OSNR指標値を比較し、最大OSNR指標値以下のOSNR指標値のルートの中から最適ルートを決定することを特徴とする請求項５ないし７のいずれかに記載の全光ネットワークにおける波長パス設定装置。
【発明の詳細な説明】
【技術分野】
【０００１】
本発明は、波長パス設定方法および装置に関し、特に、OEO(光-電気変換)部分を含まない全光型ノードで構成された全光ネットワークにおける波長パス設定方法および装置に関する。
【背景技術】
【０００２】
従来の光ネットワークは、光クロスコネクト装置を含む光ノード間をWDM装置とWDM伝送路を介して接続することにより構成される。WDM装置内にはOEO部分が含まれている。光ネットワークで伝送される光信号は、WDM装置内のOEO部分により一旦電気信号に変換され、電気信号は各ノード間での伝送品質のモニタや故障箇所の特定に利用される。これにより、波長パスの設定に際し、各ノード間での伝送品質を予め確保し、保証することが可能であり、光ネットワーク内の波長パスがどの伝送路を経由するルートに設定されても、エンドエンドの伝送品質に問題が生じないようにすることができる。
【０００３】
WDM装置からOEO部分を削除し、電気信号への変換をなくして全光ネットワークを構築することが提案されている。これによれば光ネットワークを比較的低コストで構築することができる。WDM装置からOEO部分を削除し、WDM多重分離フィルタとWDM伝送路によって光ノード間を接続した全光ネットワークでは、各ノード間での伝送品質を保証する機構を備えない。エンドエンドでのルートにパス設定を試みてデータを疎通させることにより、ルート全体として許容される伝送品質を満足しているかを判断することは可能である。
【０００４】
非特許文献１には、エンドエンドのビットレート(帯域)に応じた最小伝送品質(最小信号対雑音比：OSNR)を規定することによって、エンドエンドで経由できる最大スパン(アンプ)数を算出し、そのスパン数以下のルートを選択するようなアルゴリズムが提案されている。
【非特許文献１】IETF RFC4054 P.8「4.3.Amplifier Spontaneous Emission」
【発明の開示】
【発明が解決しようとする課題】
【０００５】
全光ネットワークにおけるエンドエンドでのルートにパス設定を試みてデータを疎通させ、伝送品質をモニタするようなものでは、エンドエンドでの伝送品質しかモニタすることができない。したがって、エンドエンドの途中の伝送路を適宜選択し、最適なルートを選択して波長パスを設定することが難しいという課題がある。
【０００６】
非特許文献１には、最小伝送品質を基にエンドエンドで許容できる最大スパン(アンプ)数を算出し、そのスパン数以下のルートを選択することが提案されているが、各伝送路の品質をルーティングに反映して波長パスを設定する手法は記載されていない。また、非特許文献１では、アンプの利得が一定と仮定されているので、実際の光ネットワークを考えた場合、伝送路の品質を正確に波長パスの設定に反映することができないという課題がある。
【０００７】
本発明の目的は、上記課題を解決し、OEO部分を含まない全光型の光ノードで構成された全光ネットワークに対して、波長パスの設定時にエンドエンドで選択可能な全てのルートに対して伝送路の品質を正確に反映したOSNR指標値の計算を可能とし、複数のルートの中から最適な伝送品質のルートを選択して波長パスを設定することが可能な波長パス設定方法および装置を提供することにある。
【課題を解決するための手段】
【０００８】
上記目的を達成するために、本発明は、全光型の光ノードで構成された全光ネットワークにおける波長パス設定方法において、各光ノードが、隣接光ノードとの間の各伝送路のOSNRをモニタし、該OSNRを元にOSNR指標値を算出して管理するとともに、他光ノードにおいて算出されたOSNR指標値を取得して管理し、始点の光ノードが、波長パス設定要求を受けたとき、自光ノードが管理するOSNR指標値を用いて、自光ノードから終点の光ノードまでのルートごとのトータルのOSNR指標値を算出し、これにより算出されたトータルのOSNR指標値が所定伝送路品質以上を示すルートが存在する場合、その中から最適ルートを選択し、これにより選択された最適ルートを元にシグナリングメッセージを隣接光ノードに送出して終点の光ノードまでの波長パスが設定されるようにし、算出されたトータルのOSNR指標値が所定伝送路品質以上を示すルートが存在しない場合には、波長パスを設定しない点に第１の特徴がある。
【０００９】
また、本発明は、OSNR指標値が伝送路のOSNRに反比例する値を持ち、始点の光ノードから終点の光ノードまでのルートを構成する各伝送路に対するOSNR指標値を加算してルートごとのトータルのOSNR指標値を算出する点に第２の特徴がある。
【００１０】
また、本発明は、トータルのOSNR指標値に、さらに(ホップ数×光ノード通過によるOSNR劣化分)を加算してルートごとのトータルのOSNR指標値を算出する点に第３の特徴がある。
【００１１】
また、本発明は、波長パス設定の要求帯域ごとの最大OSNR指標値を管理し、ルートごとのトータルのOSNR指標値と波長パス設定の要求帯域に応じた最大OSNR指標値を比較し、最大OSNR指標値以下のOSNR指標値のルートの中から最適ルートを選択する点に第４の特徴がある。
【００１２】
また、本発明は、全光型の光ノードで構成された全光ネットワークにおける波長パス設定装置において、各光ノードが、隣接光ノードとの間の各伝送路のOSNRをモニタする伝送路品質モニタ機能部と、前記伝送路品質モニタ機能部によりモニタされたOSNRを元にOSNR指標値を算出して管理するとともに、他光ノードにおいて算出されたOSNR指標値を取得して管理するリンク品質管理機能部と、波長パス設定要求情報を受けたとき、自光ノードから終点の光ノードまでのルートを構成する各伝送路に対するOSNR指標値を用いてルートごとのトータルのOSNR指標値を算出し、該トータルのOSNR指標値が所定伝送路品質以上を示すルートが存在する場合、該トータルのOSNR指標値を元にその中から最適ルートを決定し、算出されたトータルのOSNR指標値が所定伝送路品質以上を示すルートが存在しない場合には、最適ルートを決定しないルート計算機能部と、パス設定要求情報を前記ルート計算機能部に送出するとともに、シグナリングメッセージを隣接光ノードに送出し、前記ルート計算機能部で決定された最適ルートに波長パスを自律的に設定し、前記ルート計算機能部で最適ルートが決定されない場合には波長パスを設定しないシグナリング機能部を備えた点に第５の特徴がある。
【００１３】
また、本発明は、OSNR指標値が伝送路のOSNRに反比例する値を持ち、前記ルート計算機能部は、自光ノードから終点の光ノードまでのルートを構成する各伝送路に対するOSNR指標値を加算してルートごとのトータルのOSNR指標値を算出する点に第６の特徴がある。
【００１４】
また、本発明は、前記ルート計算機能部が、さらに(ホップ数×光ノード通過によるOSNR劣化分)を加算してルートごとのトータルのOSNR指標値を算出する点に第７の特徴がある。
【００１５】
さらに、本発明は、波長パス設定の要求帯域ごとの最大OSNR指標値を管理するパス品質管理機能部を備え、前記ルート計算機能部は、ルートごとのトータルのOSNR指標値と波長パス設定の要求帯域に応じた最大OSNR指標値を比較し、最大OSNR指標値以下のOSNR指標値のルートの中から最適ルートを決定する点に第８の特徴がある。
【発明の効果】
【００１６】
本発明によれば、予め求められた伝送路のOSNRをルーティング機構のリンクのメトリックに反映可能となるので、全光型の光ノードで構成された全光ネットワークにおいても、波長パスの設定時に選択可能な全てのルートに対して伝送路の品質を正確に反映した経路選択が可能となる。また、伝送路のOSNRに反比例する値を持ったOSNR指標値を利用することにより、ルートごとのトータルのOSNR指標値を簡単に求めることができる。
【００１７】
さらに、ルートごとのトータルのOSNR指標値と波長パス設定の要求帯域(ビットレート)に応じた最大OSNR指標値を比較する機構を設けることによって、複数のルートの中から波長パス設定の要求帯域に応じた最適な伝送品質のルートを選択して波長パスを設定することが可能となる。これにより、全光型の光ノードを用いた光波長ルーティングネットワークにおいて、伝送路品質を反映した波長パス設定が可能となり、信頼性の高い全光ネットワークを提供することができる。
【発明を実施するための最良の形態】
【００１８】
以下、図面を参照して本発明を説明する。図１は、本発明が適用された全光ネットワークの構成例を示すブロック図である。全光ネットワークはOEO部分を含まない複数の光ノードで構成され、光ノード間はOEOなしのWDM装置と光波長多重伝送路によって接続される。各伝送路の品質はOSNR(Optical Signal to Noise Ratio)で表される。ここでは３つの光ノード1〜3が存在し、それらを接続する伝送路のOSNRは、図示のようにa〜fであるとしている。光ノード1〜3には電気インタフェースを介してルータなどが接続され、光ノード1〜3は、ネットワークのエッジの電気インタフェースの帯域に応じた伝送品質を考慮したルートを選択して波長パスを設定する(なお、光ノード3では図示を省略している。)。
【００１９】
図２は、光ノード1〜3の構成例を示す機能ブロック図である。光ノードは、リンク品質管理機能部21、ルーティング機能部22、パス品質管理機能部23、シグナリング機能部24、およびルート計算機能部25を備える。リンク品質管理機能部21には伝送路品質モニタ機能部10が接続され、シグナリング機能部24には隣接光ノードが接続される。
【００２０】
伝送路品質モニタ機能部10は、自光ノードと隣接光ノード間の各伝送路のOSNRをモニタし、これにより得られたOSNRをリンク品質管理機能部21に送出する。伝送路のOSNRは、波長多重フィルタのある波長を伝送路品質モニタ用の波長とし、これにモニタ用の光信号を挿入し、対向の波長分離フィルタの当該波長よりモニタ光信号を取り出し、OSNR測定器でOSNRを測定することにより求めることができる。
【００２１】
また、伝送路のOSNRは、伝送路に含まれるアンプについてアンプ１台当たりのOSNRを式(1)で算出し、アンプＮ台後のトータルのOSNR(total)を式(2)で算出することによって動的に求めることもできる。ここで、定数はh×v×Δf(h:プランク定数、v:光信号周波数、Δf:光信号帯域幅)である。また、Pｉｎは入力光パワーであり、NFは雑音指数(Noise Figure)である。
OSNR(アンプ１台当たり)＝Pｉｎ/(NF×定数)                             (1)
1/0SNR(total)＝1/OSNR(1)＋1/OSNR(2)＋・・・＋1/OSNR(N)                (2)
【００２２】
リンク品質管理機能部21は、伝送路品質モニタ機能部10から送出される伝送路のOSNRをOSNR指標値に変換し、OSNR指標値を自光ノードのメトリックに設定する。また、リンク品質管理機能部21は、ルーティング機能部22が他光ノードとメトリック交換して得た他光ノードのメトリックのOSNR指標値を管理する。この管理には、例えば伝送路とOSNR指標値を対応付けた管理テーブルが利用される。
【００２３】
OSNR指標値は、dB表示のOSNR[dB]を線形表示のOSNR[lin]に変換し、(1/OSNR[lin])×任意数を計算することにより求めることができる。ここで、任意数は、OSNR指標値におけるOSNR分解能を決定し、例えば任意数として30000を用いれば30dB付近のOSNRを0.1dBの分解能で識別可能にすることができる。なお、上記の計算結果を適宜、四捨五入、切り上げまたは切り捨ててOSNR指標値を整数にする。
【００２４】
ルーティング機能部22は、隣接光ノードやその他の光ノードとメトリック(OSNR指標値)を定期的に交換する。
【００２５】
パス品質管理機能部23は、ビットレート(帯域)ごとの許容OSNRから求められる最大OSNR指標値を設定し、管理する、この管理には、例えばビットレートと最大OSNR指標値を対応付けた管理テーブルが利用される。
【００２６】
シグナリング機能部24は、ユーザからのパス設定要求情報をルート計算機能部25に送出し、ルート計算機能部25から送出されるルート決定情報を元にシグナリングメッセージを隣接光ノードに送出し、終点(ディスティネーション)の光ノードまでの波長パスを設定する。この波長パスの設定は、各光ノード間で自律的に行われる。
【００２７】
ルート計算機能部25は、波長パスを設定する光ノード間のルートごとに各伝送路に対するOSNR指標値を加算し、ルートごとのトータルのOSNR指標値を算出する。光ノード通過によるOSNR劣化を考慮する場合には、さらに“ホップ数×光ノード通過によるOSNR劣化分”すなわち“通過ノード数×(1/光ノード通過品質指数)”を加算し、最終的なルートごとのトータルのOSNR指標値を算出する。
【００２８】
さらに、ルート計算機能部25は、算出されたルートごとのトータルのOSNR指標値を、パス品質管理機能部23で管理されている最大OSNR指標値と比較し、ルートのトータルのOSNR指標値が最大OSNR指標値以下か否かを判断し、最大OSNR指標値以下のOSNR指標値のルートの中から最適なOSNR指標値のルートを最適ルートとして選択する。
【００２９】
最適ルートの選択に際しては、ネットワーク管理者のポリシーを入れ込むことができる。例えば、最大OSNR指標値以下のOSNR指標値のルートの中から、OSNR指標値が最小(伝送品質が最良)のルート、OSNR指標値が最大のルート、プライオリティに従うルート、あるいは最短ホップ数のルートなどを最適ルートとして選択することができる。
【００３０】
次に、本発明における波長パス設定動作を説明する。まず、全光ネットワークを構成する各伝送路の品質を表すOSNRをOSNR指標値に変換し、これを伝送路の中の波長ごとに設定されたトラヒックエンジニアリングリンクのリンク品質指標として、OSPF(Open Shortest Path First)のメトリックにアサインする。
【００３１】
図３は、OSNRとOSNR指標値の関係および各ビットレート(帯域)に対する最大OSNR指標値の具体例を示す。ここで、OSNR[dB]はOSNRのdB表示であり、OSNR[lin]はOSNR[dB]を線形表示に変換したものである。1/OSNRはOSNR[lin]の逆数である。OSNR指標値は、1/OSNRに整数30000を乗算して30dB付近のOSNRを0.1dBの分解能で識別可能にしている。
【００３２】
また、GbE,2.4G,10G,40Gに対する最大OSNR指標値をそれぞれ1893,949,238,60としている。これらの値はOSNR[dB]の12,15,21,27にそれぞれ相当する。例えば40Gのビットレートの伝送には60以下のOSNR指標値が要求され、10Gのビットレートの伝送には238以下のOSNR指標値が要求される。もちろん、これらの数値は例示であり、これに限定されるものではない。
【００３３】
リンク品質管理機能部21とパス品質管理機能部23は、図３に示される関係に従って各伝送路に対するOSNR指標値およびビットレート(帯域)別の最大OSNR指標値を管理する。
【００３４】
ここで、ある始点(ソース)の光ノードからある終点(ディスティネーション)の光ノード宛に波長パス設定要求があると、始点の光ノードでは、シグナリング機能部24がルート計算機能部25にパス設定要求情報(要求帯域、終点の光ノードのIDなど)を送出する。
【００３５】
ルート計算機能部25は、伝送路品質モニタ機能部10からのOSNRを元に算出されたOSNR指標値およびルーティング機能部22によって交換された他光ノードのメトリック(OSNR指標値)を元に、始点の光ノードから終点の光ノードまでの複数のルートに対して、ルート内の各伝送路に対するOSNR指標値を加算し、ルートごとのトータルのOSNR指標値を算出する。さらに、光ノード通過によるOSNR劣化を考慮する場合には、さらに“ホップ数×光ノード通過によるOSNR劣化分”を加算し、最終的なルートごとのトータルのOSNR指標値を算出する。
【００３６】
パス品質管理機能部23は、ビットレート(帯域)ごとに許容されるOSNRから算出された最大OSNR指標値を、波長パス設定が可能か否かを判断する閾値として管理する。ルート計算機能部25は、この最大OSNR指標値と上記のようにして求めた複数のルートのOSNR指標値を比較してOSNR指標値が最大OSNR指標値以下か否かを判断し、最大OSNR指標値以下のOSNR指標値のルートを抽出する。さらに、その中から、例えばOSNR指標値が最小のルート、OSNR指標値が最大のルート、プライオリティに従うルート、最短ホップ数のルートなどといった、ネットワーク管理者のポリシーが反映された最適なルートを選択する。
【００３７】
図１の全光ネットワークの例において光ノード1から光ノード2に波長パスを設定する場合、経路計算上では、光ノード3を通らないルート(以下、ルートAと称す。)と光ノード3を通るルート(以下、ルートBと称す。)の2つのルートが存在する。通常のOSPFでは、光ノード3を経由しない最短のルートAが選択されて波長パスが設定される。しかし、ルートBのOSNRがルートAのOSNRより大きい場合、すなわちルートAよりルートBの伝送品質が良好な場合、サービス品質の観点からルートBに波長パスを設定することが望まれる場合がある。
【００３８】
各リンクのOSNR[lin]がa〜fであるとすると、ルート計算機能部25は、まず、ルートAとリンクBそれぞれについてのOSNR指標値の合計を計算する。ルートAについての計算結果は(1/a)×任意数に相当し、ルートBについての計算結果は(1/c＋1/e)×任意数に相当する。
【００３９】
ルートAよりルートBの伝送品質が良好な場合、ルートAのOSNR指標値よりルートBのOSNR指標値が小さくなる。したがって、トータルのOSNR指標値が小さいルートを選択することにより伝送品質の良好なルートBを選択して波長パスを設定することができる。
【００４０】
シグナリング機能部24は、ルート計算機能部25でのルート計算結果を元に、隣接光ノードにシグナリングメッセージを送出し、波長パスを自律的に設定する。
【００４１】
図４は、光ノード1における波長パス設定動作を示すフローチャートである。光ノード1から光ノード2への波長パス設定要求に対して、まず、ルートAを構成する各伝送路のOSNR指標値を加算し、ルートAのトータルのOSNR指標値を算出する(S41)。同様に、ルートBについても各伝送路のOSNR指標値を加算し、ルートBのトータルのOSNR指標値を算出する(S42)。
【００４２】
次に、ルートA,Bそれぞれについての“ホップ数×光ノード通過によるOSNR劣化分”をステップ(S41),(S42)で算出したOSNR指標値にそれぞれ加算し、最終的なOSNR指標値を算出する(S43)。なお、ステップ(S43)は、光ノード通過によるOSNR劣化を考慮する必要がない場合には省略することができる。
【００４３】
次に、ステップ(S43)で算出されたルートA,BのOSNR指標値(ステップ(S43)が省略される場合にはステップ(S41),(S42)で算出されたOSNR指標値)が、予めビットレート(帯域)別に設定された最大OSNR指標値以下であるか否かを判別し、最大OSNR指標値以下のルートを抽出する(S44)。
【００４４】
次に、ステップ(S44)で抽出されたルートの中から最適なルート、例えば小さいOSNR指標値のルートBを選択し(S45)、該ルートBに波長パスを設定する(S46)。ステップ(S44)で最大OSNR指標値以下のルートが１つも抽出されない場合には波長パスを設定しない(S47)。
【００４５】
なお、図４ではステップ(S44)で最大OSNR指標値以下のルートを抽出し、その後にステップ(S45)で１つのルートを選択しているが、まず、１つのルートを選択し、その後に該ルートが最大リンク品質指数以下であるかを判別するようにすることができる。
【００４６】
図５は、このようにした場合の波長パス設定動作を示すフローチャートである。ステップ(S51)〜(S53)は、図４のステップ(S41)〜(S43)と同じであるが、ステップ(S53)の後に、ルートA,BのOSNR指標値を比較して小さいOSNR指標値のルートを判別する(S54)。次に、判別されたルートのOSNR指標値が最大OSNR指標値以下か否かを判別し(S55)、最大OSNR指標値以下であれば該ルートに波長パスを設定し(S56)、最大OSNR指標値を超えていれば波長パスを設定しない(S57)。
【００４７】
以上では一方向の波長パスを設定する場合について説明したが、双方向の波長パスを設定する場合には、双方向それぞれの伝送路の内、OSNRが小さい(伝送品質が劣る)方の伝送路の品質を元にしたOSNR指標値だけを用いて最適ルートを判別し、波長パスを設定することができる。
【図面の簡単な説明】
【００４８】
【図１】本発明が適用された全光ネットワークの構成例を示すブロック図である。
【図２】光ノードの構成例を示す機能ブロック図である。
【図３】OSNRとOSNR指標値の関係および各ビットレート(帯域)に対する最大OSNR指標値の具体例を示す図である。
【図４】光ノードにおける波長パス設定動作の一例を示すフローチャートである。
【図５】光ノードにおける波長パス設定動作の他の例を示すフローチャートである。
【符号の説明】
【００４９】
1，2，3・・・光ノード、10・・・伝送路品質モニタ機能部、21・・・リンク品質管理機能部、22・・・ルーティング機能部、23・・・パス品質管理機能部、24・・・シグナリング機能部、25・・・ルート計算機能部
【図１】
0004573302.tif 000002
【図２】
0004573302.tif 000003
【図３】
0004573302.tif 000004
【図４】
0004573302.tif 000005
【図５】
0004573302.tif 000006